(57)【特許請求の範囲】
【請求項１】
上部ケースと、この上部ケースの下部に配置される下部ケースと、前記上部ケースおよび前記下部ケースの内部に配置される中ケースとを備えた携帯機器において、
前記上部ケースと前記下部ケースとの内外方向および前記上部ケースと前記下部ケースとの周囲方向の各位置を規制して前記上部ケースと前記下部ケースとを結合する第１嵌合部と、
前記上部ケースと前記中ケースとの内外方向および前記上部ケースと前記中ケースとの周囲方向の各位置を規制して前記上部ケースと前記中ケースとを結合する第２嵌合部と、
を備え、前記第１嵌合部は、前記上部ケースの下面における周縁部に沿って設けられた枠状の外側リブと、前記下部ケースの上面における周縁部に沿って設けられて前記外側リブが嵌合する環状の溝部と、前記上部ケースにおける前記外側リブの内側に位置する内側リブに設けられた複数の切欠き溝と、前記下部ケースにおける前記環状の溝部の縁部に設けられて前記複数の切欠き溝に嵌合する複数の突起部とを備えていることを特徴とする携帯機器。
【請求項２】
請求項１に記載の携帯機器において、前記第２嵌合部は、前記上部ケースの下面における周縁部に沿って設けられた複数の溝部と、前記中ケースの上面における周縁部に沿って設けられて前記複数の溝部に嵌合する複数の突起部とを備えていることを特徴とする携帯機器。
【請求項３】
請求項１または請求項２に記載の携帯機器において、前記中ケースの外周面には、前記上部ケースの前記外側リブの内側面に当接する突起状の当接部が設けられていることを特徴とする携帯機器。
【請求項４】
請求項１〜請求項３のいずれかに記載の携帯機器において、前記下部ケースと前記中ケースとの内外方向および前記下部ケースと前記中ケースとの周囲方向の各位置を規制して前記下部ケースと前記中ケースとを結合する第３嵌合部を備えていることを特徴とする携帯機器。
【請求項５】
請求項４に記載の携帯機器において、前記第３嵌合部は、前記中ケースの下面における周縁部に沿って設けられた複数の突起部と、前記下部ケース内の周縁部に沿って設けられて前記複数の突起部が嵌合する複数の突起リブとを備え、前記複数の突起部と前記複数の突起リブとがそれぞれ嵌合することにより、前記下部ケースと前記中ケースとの周囲方向への位置ずれを規制することを特徴とする携帯機器。
【請求項６】
請求項１〜請求項５のいずれかに記載の携帯機器において、前記上部ケースの内側面に着脱可能に固定されて、前記下部ケースがねじ止めされるねじ止め金具を備えていることを特徴とする携帯機器。
【請求項７】
上部ケースと、この上部ケースの下部に配置される下部ケースとを備えた携帯機器において、
前記上部ケースと前記下部ケースとの内外方向および前記上部ケースと前記下部ケースとの周囲方向の各位置を規制して前記上部ケースと前記下部ケースとを結合する嵌合部を備え、
前記嵌合部は、前記上部ケースの下面における周縁部に沿って設けられた枠状の外側リブと、前記下部ケースの上面における周縁部に沿って設けられて前記外側リブが嵌合する環状の溝部と、前記上部ケースにおける前記外側リブの内側に位置する内側リブに設けられた複数の切欠き溝と、前記下部ケースにおける前記環状の溝部の縁部に設けられて前記複数の切欠き溝に嵌合する複数の突起部とを備えていることを特徴とする携帯機器。
【発明の詳細な説明】
【技術分野】
【０００１】
この発明は、携帯情報端末機（ＰＤＡ：パーソナル・デジタル・アシスタント）、携帯電話機などの携帯機器に関する。
【背景技術】
【０００２】
例えば、携帯電話機などの携帯機器においては、特許文献１に記載されているように、上部ケースと下部ケースとを備え、これら上部ケースと下部ケースとの内部にモジュールを組み込んだ構成のものが知られている。
【先行技術文献】
【特許文献】
【０００３】
【特許文献１】特開２００４−３４３７５１号公報
【０００４】
この種の携帯機器は、上部ケースの外周部に嵌合リブを設け、下部ケースの外周部に上部ケースの嵌合リブが嵌合する嵌合溝部を設け、上部ケースと下部ケースとを重ね合わせた際に、嵌合リブと嵌合溝部とが互いに嵌合するように構成されている。この場合、嵌合リブと嵌合溝とは、ほぼ十字状に嵌合し、上部ケースと下部ケースとの内外方向とこれに直交する周囲方向との位置を規制するように形成されている。
【発明の概要】
【発明が解決しようとする課題】
【０００５】
しかしながら、このような従来の携帯機器では、上部ケースと下部ケースとを重ね合わせて、嵌合リブと嵌合溝部とを互いに嵌合させた状態で、上部ケースと下部ケースとの複数個所をねじ止めする構成であるから、上部ケースと下部ケースとの内部に組み込まれたモジュールが上部ケースと下部ケースとの剛性にほとんど寄与しないため、落下などの衝撃を受けた際に、モジュールが上部ケースと下部ケースとの内部で動き易く、モジュールの表示パネルや回路基板などの電子部品が破損し易いという問題がある。
【０００６】
また、このような従来の携帯機器では、表示パネルの大画面化および高密度実装化に伴って上部ケースおよび下部ケースの各肉厚を薄く形成することが要望されているが、単に上部ケースと下部ケースとの肉厚を薄く形成しただけでは、上述した問題が生じ易くなるばかりか、外部からの衝撃によって機器全体がねじれ変形や反り変形を起し易くなるという問題が生じる。
【０００７】
この発明が解決しようとする課題は、機器全体の剛性を高めて内部の部品を良好に保護することができる携帯機器を提供することである。
【課題を解決するための手段】
【０００８】
請求項１に記載の発明は、上部ケースと、この上部ケースの下部に配置される下部ケースと、前記上部ケースおよび前記下部ケースの内部に配置される中ケースとを備えた携帯機器において、前記上部ケースと前記下部ケースとの内外方向および前記上部ケースと前記下部ケースとの周囲方向の各位置を規制して前記上部ケースと前記下部ケースとを結合する第１嵌合部と、前記上部ケースと前記中ケースとの内外方向および前記上部ケースと前記中ケースとの周囲方向の各位置を規制して前記上部ケースと前記中ケースとを結合する第２嵌合部と、を備え、前記第１嵌合部は、前記上部ケースの下面における周縁部に沿って設けられた枠状の外側リブと、前記下部ケースの上面における周縁部に沿って設けられて前記外側リブが嵌合する環状の溝部と、前記上部ケースにおける前記外側リブの内側に位置する内側リブに設けられた複数の切欠き溝と、前記下部ケースにおける前記環状の溝部の縁部に設けられて前記複数の切欠き溝に嵌合する複数の突起部とを備えていることを特徴とする携帯機器である。
【発明の効果】
【００１５】
この発明によれば、第１嵌合部によって上部ケースと下部ケースとの内外方向およびその周囲方向の各位置を規制して上部ケースと下部ケースとを結合させることができると共に、第２嵌合部によって上部ケースと中ケースとの内外方向およびその周囲方向の各位置を規制して上部ケースと中ケースとを結合させることができる。
【００１６】
このため、上部ケース、下部ケース、中ケースを相互に結合することができるので、機器全体の剛性を高めることができ、これにより外部から衝撃を受けた際に、上部ケース、下部ケース、中ケースの全体で衝撃を受け止めることができるので、各ケースの変形や位置ずれを確実に防ぐことができると共に、内部に組み込まれた部品を良好に保護することができる。
【図面の簡単な説明】
【００１７】
【図１】この発明を携帯情報端末機に適用した一実施形態を示した正面図である。
【図２】図１に示された携帯情報端末機の側面図である。
【図３】図１に示された携帯情報端末機のＡ−Ａ矢視における拡大断面図である。
【図４】図３に示された携帯情報端末機の要部を更に拡大して示した断面図である。
【図５】図１に示された携帯情報端末機を上部ケース、中ケース、下部ケースに分解して示した拡大斜視図である。
【図６】図５に示された携帯情報端末機において中ケースを斜め上側から見て示した分解斜視図である。
【図７】図５に示された携帯情報端末機において中ケースを取り外した状態を示した分解斜視図である。
【図８】図１に示された携帯情報端末機を斜め下側から見た状態で、一側部を破断して示した拡大斜視図である。
【図９】図１に示された携帯情報端末機のＢ−Ｂ矢視における拡大断面図である。
【図１０】図９に示された携帯情報端末機の上部ケースとねじ止め金具とを分解して示した拡大斜視図である。
【図１１】図１０に示された携帯情報端末機において、上部ケースにねじ止め金具を取り付ける状態を示し、（ａ）はそのねじ止め金具を上部ケースの内側リブに設けられた取付溝に挿入する状態を示した図、（ｂ）はそのねじ止め金具を上部ケースの取付溝に取り付けた状態を示した図である。
【発明を実施するための形態】
【００１８】
以下、図１〜図１１を参照して、この発明を携帯情報端末機に適用した一実施形態について説明する。
この携帯情報端末機は、図１〜図３に示すように、上部ケース１と、この上部ケース１の下部に装着される下部ケース２と、上部ケース１および下部ケース２の内部に組み込まれる中ケース３とを備えている。
【００１９】
この場合、中ケース３には、図１および図３に示すように、入力表示部４およびキーボード部５が、上部ケース１の上側に露出した状態で設けられている。また、この中ケース３には、図３および図４に示すように、回路基板６が設けられている。この回路基板６の下面には、図３〜図５に示すように、情報処理に必要な各種の電子部品７が入力表示部４の下側に対応して設けられている。
【００２０】
入力表示部４は、図３および図４に示すように、透明なタッチパネル４ａと表示パネル４ｂとを備えている。透明なタッチパネル４ａは、その表面をタッチ操作することにより、情報が入力されるように構成されている。表示パネル４ｂは、液晶表示パネルやＥＬ（エレクトロルミネッセンス）表示パネルなどの平面型の表示パネルからなり、透明なタッチパネル４ａの下側に配置され、この状態で情報処理に伴う各種の情報を電気光学的に表示するように構成されている。
【００２１】
これにより、入力表示部４は、表示パネル４ｂに表示された情報が透明タッチパネル４ａを通して上方から見え、この表示パネル４ｂに表示された情報を見ながら透明なタッチパネル４ａをタッチ操作するように構成されている。キーボード部５は、図１に示すように、文字キー、カーソルキー、ファンクションキーなどの情報処理に必要な各種のキーを備えている。
【００２２】
また、上部ケース１には、図１、図５〜図７に示すように、表示開口部８ａが入力表示部４に対応して設けられていると共に、キー開口部８ｂがキーボード部５に対応して設けられている。また、下部ケース２には、図５〜図８に示すように、電池収納部９がキーボード部５の下側に対応して設けられている。
【００２３】
ところで、上部ケース１と下部ケース２とには、図３〜図７に示すように、その内外方向（例えば、図１の幅方向である矢印Ｘ方向）および周囲方向（例えば、図１の前後方向である矢印Ｙ方向）の各位置を規制して嵌合する第１嵌合部１１が設けられており、上部ケース１と中ケース３とには、図３〜図６に示すように、その内外方向（例えば、図１の幅方向である矢印Ｘ方向）および周囲方向（例えば、図１の前後方向である矢印Ｙ方向）の各位置を規制して嵌合する第２嵌合部１２が設けられている。
【００２４】
第１嵌合部１１は、図３〜図７に示すように、上部ケース１の下面における周縁部に沿って設けられた枠状の外側リブ１３と、下部ケース２の上面における周縁部に沿って設けられて上部ケース１の外側リブ１３が嵌合する環状の溝部１４と、上部ケース１に設けられて外側リブ１３よりも内側に位置する内側リブ１５に設けられた複数の切欠き溝１５ａと、下部ケース２における環状の溝部１４の縁部に設けられて上部ケース１の複数の切欠き溝１５ａに嵌合する複数の突起部１６と、を備えている。この第１嵌合部１１は、環状の溝部１４内に防水パッキン１７が装着されるように構成されている。
【００２５】
これにより、第１嵌合部１１は、図４および図７に示すように、上部ケース１の下に下部ケース２が取り付けられる際に、上部ケース１の枠状の外側リブ１３が下部ケース２の環状の溝部１４に挿入して嵌合することにより、上部ケース１と下部ケース２との内外方向（例えば、図１の幅方向である矢印Ｘ方向）への変形を規制すると共に、下部ケース２の環状の溝部１４内に装着された防水パッキン１７を上部ケース１の枠状の外側リブ１３が押し付けるように構成されている。
【００２６】
この場合、防水パッキン１７は、ゴムなどの弾性を有する材料からなるリング状のものであり、図３および図４に示すように、下部ケース２の環状の溝部１４内に配置された状態で、上部ケース１の枠状の外側リブ１３が下部ケース２の環状の溝部１４に嵌合した際に、枠状の外側リブ１３によって環状の溝部１４内に押し付けられることにより、上部ケース１と下部ケース２との防水性を確保するように構成されている。
【００２７】
また、この第１嵌合部１１は、図４および図７に示すように、上部ケース１の下部に下部ケース２が取り付けられる際に、上部ケース１の内側リブ１５に設けられた複数の切欠き溝１５ａに、下部ケース２における環状の溝部１４の縁部に設けられた複数の突起部１６がそれぞれ挿入して嵌合することにより、上部ケース１と下部ケース２との周囲方向（例えば、図１の前後方向である矢印Ｙ方向）への位置ずれを規制するように構成されている。
【００２８】
一方、第２嵌合部１２は、図４〜図６に示すように、上部ケース１の内側リブ１５よりも内側に位置する下面にその周縁部に沿って設けられた複数の溝部１８と、中ケース３の上面における周縁部に沿って設けられて上部ケース１の複数の溝部１８に嵌合する複数の突起部１９とを備えている。この第２嵌合部１２は、上部ケース１内に中ケース３が取り付けられる際に、上部ケース１の複数の溝部１８に中ケース３の複数の突起部１９がそれぞれ挿入して嵌合するように構成されている。
【００２９】
これにより、第２嵌合部１２は、図４〜図６に示すように、上部ケース１の複数の溝部１８に中ケース３の複数の突起部１９がそれぞれ挿入して嵌合することにより、上部ケース１と中ケース３との内外方向（例えば、図１の幅方向である矢印Ｘ方向）への変形を規制すると共に、上部ケース１と中ケース３との周囲方向（例えば、図１の前後方向である矢印Ｙ方向）への位置ずれを規制するように構成されている。
【００３０】
この場合、中ケース３の外周面には、図４に示すように、上部ケース１に設けられた外側リブ１３の内側面に当接する突起状の当接部２０が設けられている。この中ケース３の当接部２０は、上部ケース１の複数の溝部１８に中ケース３の複数の突起部１９がそれぞれ挿入して嵌合した際に、上部ケース１に設けられた枠状の外側リブ１３の内側面に当接することにより、第１嵌合部１１における上部ケース１の枠状の外側リブ１３と下部ケース２の環状の溝部１４とがその肉厚方向である内側方向（図４では右方向）への変形を規制するように構成されている。
【００３１】
ところで、下部ケース２と中ケース３とには、図８に示すように、その内外方向（例えば、図１の幅方向である矢印Ｘ方向）および周囲方向（例えば、図１の前後方向である矢印Ｙ方向）の各位置を規制して嵌合する第３嵌合部２１が設けられている。この第３嵌合部２１は、中ケース３の下面における周縁部に沿って設けられた複数の突起部２２と、下部ケース２内の周縁部に沿って設けられて中ケース３の複数の突起部２２が嵌合する複数の突起リブ２３とを備えている。
【００３２】
これにより、第３嵌合部２１は、図８に示すように、下部ケース２の複数の突起リブ２３間に中ケース３の複数の突起部２２がそれぞれ挿入して嵌合することにより、下部ケース２と中ケース３との内外方向（例えば、図１の幅方向である矢印Ｘ方向）への変形を規制すると共に、下部ケース２と中ケース３との周囲方向（例えば、図１の前後方向である矢印Ｙ方向）への位置ずれを規制するように構成されている。
【００３３】
このような上部ケース１、下部ケース２、および中ケース３は、図８に示すように、上辺側、下辺側、およびその上下辺間の中間に位置する前後２箇所の合計８箇所が複数のねじ部材２５によって結合されるように構成されている。すなわち、下部ケース２には、複数のねじ挿入孔２６が上辺側、下辺側、およびその上下辺間の中間に位置する前後２箇所で、合計８箇所に設けられている。中ケース３には、入力表示部４の両側に位置する箇所、および電池収納部９に対応する箇所を除いて、複数のボス装着部２７が下部ケース２のねじ挿入孔２６に対応して設けられている。
【００３４】
上部ケース１内には、図５〜図７に示すように、入力表示部４の両側に位置する２箇所のみを除いて、ねじ部材２５が螺入するねじ孔を有する複数のボス２８が、中ケース３のボス装着部２７に対応して設けられている。この上部ケース１の各ボス２８は、上部ケース１に中ケース３が配置された際に、中ケース３の各ボス装着部２７に挿入されて、中ケース３の下部に配置された下部ケース２の各ねじ挿入孔２６にそれぞれ対応するように構成されている。
【００３５】
この場合、上部ケース１には、図９〜図１１に示すように、一対のねじ止め金具３０が入力表示部４の両側に位置する箇所において、下部ケース２のねじ挿入孔２６に対応して設けられている。このねじ止め金具３０は、図９および図１１に示すように、上部ケース１内の内側リブ１５に着脱可能に取り付けられ、その下端部が中ケース３の下側に延び、この延びた下端部が中ケース３の下面に沿って折り曲げられ、この折り曲げられた箇所にねじ孔３１が設けられた構成になっている。
【００３６】
すなわち、このねじ止め金具３０は、図９および図１０に示すように、金属板かなり、上部ケース１内の内側リブ１５に対応する上部がＬ字形状の取付部３０ａに形成され、その下側に延びる中間部３０ｂが上部ケース１内に向けて少し傾斜するように折り曲げられ、この中間部３０ｂの下部に折曲部３０ｃが上部ケース１内に向けてほぼ直角に折り曲げられ、この折曲部３０ｃにねじ孔３１が設けられた構成になっている。
【００３７】
また、上部ケース１に設けられた内側リブ１５には、図１０および図１１に示すように、ねじ止め金具３０の取付部３０ａが着脱可能に取り付けられる取付溝３２が設けられている。この取付溝３２は、ねじ止め金具３０の取付部３０ａが下側から挿入する挿入部３２ａと、ねじ止め金具３０の取付部３０ａが上部ケースの前後方向（図１１では左右方向）の一方（図１１では右側）にスライドして係合する係合部３２ｂとからなっている。
【００３８】
これにより、ねじ止め金具３０は、図１１（ａ）および図１１（ｂ）に示すように、取付部３０ａが上部ケース１の内側リブ１５に設けられた取付溝３２の挿入部３２ａに下側から挿入し、この挿入された取付部３０ａが挿入部３２ａの上端部に到達した際に、取付部３０ａが上部ケース１の前後方向（図１１では左右方向）の一方（図１１では右側）にスライドすることにより、取付部３０ａが係合部３２ｂに係合することにより、上部ケース１に取り付けられるように構成されている。
【００３９】
また、このねじ止め金具３０は、図９に示すように、上部ケース１内に中ケース３が配置された際に、折曲部３０ｃが中ケース３の下側に位置し、この状態で上部ケース１の下部に下部ケース２が配置されると、この下部ケース２のねじ挿入孔２６に折曲部３０ｃのねじ孔３１が対応し、このねじ孔３１に下部ケース２のねじ挿入孔２６から挿入されたねじ部材２５が螺入して締め付けられることにより、入力表示部４の両側に位置する上部ケース１と下部ケース２とを結合するように構成されている。
【００４０】
次に、このような携帯情報端末機を組み立てる場合について説明する。
まず、図５および図６に示すように、中ケース３に入力表示部４、キーボード部５、および回路基板６を取り付ける。このときには、予め、図５に示すように、回路基板６の下面に各種の電子部品７を取り付ける。そして、この回路基板６に入力表示部４およびキーボード部５を電気的に接続する。
【００４１】
次いで、上部ケース１における入力表示部４の両側に位置する箇所に、図１０および図１１に示すように、ねじ止め金具３０を取り付ける。このときには、図１１（ａ）に示すように、ねじ止め金具３０の取付部３０ａを上部ケース１の内側リブ１５に設けられた取付溝３２の挿入部３２ａに下側から挿入する。
【００４２】
そして、このねじ止め金具３０の取付部３０ａが取付溝３２の挿入部３２ａの上端部に到達した際には、図１１（ｂ）に示すように、ねじ止め金具３０の取付部３０ａを上部ケース１の前後方向（図１１では左右方向）の一方（図１１では右方向）にスライドさせて、ねじ止め金具３０の取付部３０ａを取付溝３２の係合部３２ｂに係合させる。これにより、ねじ止め金具３０が上部ケース１に取り付けられる。
【００４３】
この後、中ケース３を上部ケース１内に配置する。このときには、上部ケース１に設けられた一対のねじ止め金具３０の間に中ケース３を挿入させて、一対のねじ止め金具３０の各折曲部３０ｃを中ケース３の下側に位置させて配置する。また、このときには、入力表示部４を上部ケース１の表示開口部８ａに対応させると共に、キーボード部５を上部ケース１のキー開口部８ｂに対応させる。
【００４４】
この状態で、上部ケース１の各ボス２８と中ケース３の各ボス装着部２７とを対応させて、上部ケース１と中ケース３とを第２嵌合部１２によって結合させる。このときには、図６に示すように、上部ケース１の下面における周縁部に沿って設けられた複数の溝部１８に、中ケース３の上面における周縁部に沿って設けられた複数の突起部１９をそれぞれ挿入して嵌合させる。
【００４５】
これにより、上部ケース１と下部ケース３とは、その各側面部の肉厚方向である内外方向（例えば、図１の幅方向である矢印Ｘ方向）への変形が規制されると共に、上部ケース１と中ケース３との周囲方向（例えば、図１の前後方向である矢印Ｙ方向）への位置ずれが規制され、この状態で結合される。
【００４６】
また、このときには、図４に示すように、中ケース３の外周面に設けられた突起状の当接部２０が、上部ケース１に設けられた枠状の外側リブ１３の内側面に当接する。これによっても、上部ケース１と中ケース３とは、上部ケース１の枠状の外側リブ１３と下部ケース２の環状の溝部１４とがその肉厚方向である内側方向（図４では右方向）への変形が規制された状態で接合される。
【００４７】
このように上部ケース１に中ケース３が結合された際には、上部ケース１の各ボス２８が中ケース３の各ボス装着部２７に挿入し、入力表示部４の周縁部が上部ケース１の表示開口部８ａの内周部に接触して表示開口部８ａから上部ケース１の外部に露出すると共に、キーボード部５の各キーが上部ケース１の各キー開口部８ｂ内に挿入して上部ケース１の外部に露出する。
【００４８】
次いで、下部ケース２の環状の溝部１４内に防水パッキン１７を装着する。この状態で、図３および図４に示すように、中ケース３が結合された上部ケース１と下部ケース２とを第１嵌合部１１によって結合させると共に、図８に示すように、下部ケース２と中ケース３とを第３嵌合部２１によって結合させる。
【００４９】
このときには、図４および図７に示すように、上部ケース１の下面における周縁部に沿って設けられた枠状の外側リブ１３を、下部ケース２の上面における周縁部に沿って設けられた環状の溝部１４に挿入して嵌合させると共に、上部ケース１の内側リブ１５に設けられた複数の切欠き溝１５ａに、下部ケース２における環状の溝部１４の縁部に設けられた複数の突起部１６を挿入して嵌合させる。
【００５０】
これにより、上部ケース１と下部ケース２とは、上部ケース１の枠状の外側リブ１３が下部ケース２の環状の溝部１４に挿入して嵌合することにより、上部ケース１と下部ケース２との各側面部の肉厚方向である内外方向（例えば、図１の幅方向である矢印Ｘ方向）への変形が規制された状態で結合される。
【００５１】
これと同時に、上部ケース１と下部ケース２とは、上部ケース１の内側リブ１５に設けられた複数の切欠き溝１５ａに、下部ケース２における環状の溝部１４の縁部に設けられた複数の突起部１６がそれぞれ挿入して嵌合することにより、上部ケース１と下部ケース２との周囲方向（例えば、図１の前後方向である矢印Ｙ方向）への位置ずれが規制された状態で結合される。
【００５２】
また、このように上部ケース１と下部ケース２とが結合される際には、図４に示すように、上部ケース１の枠状の外側リブ１３が下部ケース２の環状の溝部１４に挿入することにより、下部ケース２の環状の溝部１４内に装着された防水パッキン１７が上部ケース１の枠状の外側リブ１３によって押し付けられる。
【００５３】
さらに、このように上部ケース１と下部ケース２とが結合される際には、図８に示すように、下部ケース２と中ケース３とが第３嵌合部２１によって結合される。このときには、下部ケース２の下面における周縁部に沿って設けられた複数の突起リブ２３間に、中ケース３の下面における周縁部に沿って設けられた複数の突起部２２がそれぞれ挿入して嵌合する。
【００５４】
これにより、下部ケース２と中ケース３とは、その各側面部の肉厚方向である内外方向（例えば、図１の幅方向である矢印Ｘ方向）への変形が規制されると共に、下部ケース２と中ケース３との周囲方向（例えば、図１の前後方向である矢印Ｙ方向）への位置ずれが規制され、この状態で結合される。
【００５５】
この後、下部ケース２の各ねじ挿入孔２６にねじ部材２５をそれぞれ下側から挿入させて上部ケース１の各ボス２８のねじ孔および一対のねじ止め金具３０の各ねじ孔３１に螺入させて締め付ける。これにより、上部ケース１と下部ケース２とが第１嵌合部１１によって強固に結合されると共に、上部ケース１と中ケース３とが第２嵌合部１２によって強固に結合されるほか、下部ケース２と中ケース３とが第３嵌合部２１によって強固に結合される。これにより、上部ケース１、下部ケース２、および中ケース３の全体の剛性が確保される
【００５６】
このときには、図１０および図１１に示すように、一対のねじ止め金具３０が金属板からなり、このねじ止め金具３０の取付部３０ａが入力表示部４の両側に位置する上部ケース１の内側リブ１５に設けられた取付溝３２に取り付けられ、この状態でねじ止め金具３０の折曲部３０ｃが中ケース３の下側に位置していることにより、入力表示部４の表示面積を大きくして、この入力表示部４の両側に位置する箇所における上部ケース１と中ケース３との間の隙間が狭くても、上部ケース１と下部ケース２とが強固に結合される。
【００５７】
また、このように、上部ケース１、下部ケース２、中ケース３が強固に結合された際には、図４に示すように、上部ケース１の枠状の外側リブ１３が下部ケース２の環状の溝部１４内に装着された防水パッキン１７を更に強く押すので、上部ケース１と下部ケース２との防水が確実になる。
【００５８】
このように、この携帯情報端末機によれば、上部ケース１と下部ケース２との内外方向および上部ケース１と下部ケース２との周囲方向の各位置を規制して上部ケース１と下部ケース２とを結合する第１嵌合部１１と、上部ケース１と中ケース３との内外方向および上部ケース１と中ケース３との周囲方向の各位置を規制して上部ケース１と中ケース３とを結合する第２嵌合部１２と、を備えていることにより、機器全体の剛性を高めて、内部に組み込まれた入力表示部４、キーボード部５、回路基板６、およびその電子部品７などの内部部品を良好に保護することができる。
【００５９】
すなわち、この携帯情報端末機では、第１嵌合部１１によって上部ケース１と下部ケース２との内外方向（例えば、図１の幅方向である矢印Ｘ方向）およびその周囲方向（例えば、図１の幅方向である矢印Ｘ方向）の各位置を規制して上部ケース１と下部ケース２とを結合させることができると共に、第２嵌合部１２によって上部ケース１と中ケース３との内外方向（例えば、図１の幅方向である矢印Ｘ方向）およびその周囲方向（例えば、図１の幅方向である矢印Ｘ方向）の各位置を規制して上部ケース１と中ケース３とを結合させることができる。
【００６０】
このため、上部ケース１、下部ケース２、中ケース３を相互に結合することができるので、機器全体の剛性を高めることができ、これにより外部から衝撃を受けた際に、上部ケース１、下部ケース２、中ケース３の全体で衝撃を受け止めることができるので、各ケース１〜３の変形や位置ずれを確実に防ぐことができると共に、内部に組み込まれた入力表示部４、キーボード部５、回路基板６、およびその電子部品７などの内部部品を良好に保護することができる。
【００６１】
この場合、第１嵌合部１１は、上部ケース１の下面における周縁部に沿って設けられた枠状の外側リブ１３と、下部ケース２の上面における周縁部に沿って設けられて上部ケース１の枠状の外側リブ１３が嵌合する環状の溝部１４と、上部ケース１における外側リブ１３の内側に位置する内側リブ１５に設けられた複数の切欠き溝１５ａと、下部ケース２における環状の溝部１４の縁部に設けられて上部ケース１の複数の切欠き溝１５ａに嵌合する複数の突起部１６とを備えているので、上部ケース１と下部ケース２とを確実に且つ強固に結合させることができる。
【００６２】
すなわち、第１嵌合部１１は、上部ケース１と下部ケース２とが結合される際に、上部ケース１の枠状の外側リブ１３が下部ケース２の環状の溝部１４に挿入して嵌合することにより、上部ケース１と下部ケース２との各側面部の肉厚方向である内外方向（例えば、図１の幅方向である矢印Ｘ方向）への変形を規制することができるので、落下など衝撃を受けた際に、上部ケース１と下部ケース２とがその側面部の肉厚方向である内外方向に変形するのを確実に且つ良好に防ぐことができる。
【００６３】
また、この第１嵌合部１１は、上部ケース１と下部ケース２とが結合される際に、上部ケース１の内側リブ１５に設けられた複数の切欠き溝１５ａに、下部ケース２における環状の溝部１４の縁部に設けられた複数の突起部１６がそれぞれ挿入して嵌合することにより、上部ケース１と下部ケース２との周囲方向（例えば、図１の前後方向である矢印Ｙ方向）への位置ずれを規制することができるので、落下など衝撃を受けた際に、上部ケース１と下部ケース２とがその周囲方向に沿って位置ずれするのを確実に且つ良好に防ぐことができる。
【００６４】
この場合、下部ケース２の環状の溝部１４内に防水パッキン１７が装着された状態で、上部ケース１と下部ケース２とが結合された際には、上部ケース１の枠状の外側リブ１３が下部ケース２の環状の溝部１４に挿入して、枠状の外側リブ１３が防水パッキン１７を環状の溝部１４内に押し付けるので、上部ケース１と下部ケース２との防水性を確保することができる。
【００６５】
また、第２嵌合部１２は、上部ケース１の下面における周縁部に沿って設けられた複数の溝部１８と、中ケース３の上面における周縁部に沿って設けられて上部ケース１の複数の溝部１８に嵌合する複数の突起部１９とを備えているので、上部ケース１と中ケース３とが結合される際に、上部ケース１の複数の溝部１８に中ケース３の複数の突起部１９がそれぞれ挿入して嵌合することにより、上部ケース１と中ケース３との各側面部の肉厚方向である内外方向（例えば、図１の幅方向である矢印Ｘ方向）への変形を規制することができると共に、上部ケース１と中ケース３との周囲方向（例えば、図１の前後方向である矢印Ｙ方向）への位置ずれを規制することができる。
【００６６】
すなわち、第２嵌合部１２は、上部ケース１の複数の溝部１８に中ケース３の複数の突起部１９がそれぞれ挿入して嵌合すると、上部ケース１と中ケース３との各側面部の肉厚方向である内外方向への変形が規制されると共に、上部ケース１と中ケース３との周囲方向への位置ずれが規制されるので、落下など衝撃を受けた際に、上部ケース１と中ケース３とがその各側面部の肉厚方向である内外方向に変形するのを確実に且つ良好に防ぐことができると共に、上部ケース１と中ケース３とがその周囲方向に沿って位置ずれするのを確実に且つ良好に防ぐことができる。
【００６７】
この場合、中ケース３の外周面には、上部ケース１の枠状の外側リブ１３の内側面に当接する突起状の当接部２０が設けられているので、上部ケース１の複数の溝部１８に中ケース３の複数の突起部１９がそれぞれ挿入して嵌合した際に、中ケース３の当接部２０が上部ケース１の外側リブ１３の内側面に当接することにより、第１嵌合部１１における上部ケース１の外側リブ１３と下部ケース２の環状の溝部１４とがその肉厚方向である内側方向に変形するのを確実に且つ強固に規制することができ、これによっても上部ケース１、下部ケース２、中ケース３がその内外方向に変形するのを確実に且つ良好に防ぐことができる。
【００６８】
また、この携帯情報端末機では、下部ケース２と中ケース３との内外方向および下部ケース２と中ケース３との周囲方向の各位置を規制して下部ケース２と中ケース３とを結合する第３嵌合部２１を備えているので、この第３嵌合部２１によって下部ケース２と中ケース３との内外方向（例えば、図１の幅方向である矢印Ｘ方向）およびその周囲方向（例えば、図１の幅方向である矢印Ｘ方向）の各位置を規制して下部ケース２と中ケース３とを結合させることができる。
【００６９】
この場合、第３嵌合部２１は、中ケース３の下面における周縁部に沿って設けられた複数の突起部２２と、下部ケース２内の周縁部に沿って設けられて中ケース３の複数の突起部２２が嵌合する複数の突起リブ２３とを備えているので、下部ケース２と中ケース３とが結合される際に、下部ケース２の複数の突起リブ２３間に中ケース３の複数の突起部２２がそれぞれ挿入して嵌合することにより、下部ケース２と中ケース３との各側面部の肉厚方向である内外方向（例えば、図１の幅方向である矢印Ｘ方向）への変形を規制することができると共に、下部ケース２と中ケース３との周囲方向（例えば、図１の前後方向である矢印Ｙ方向）への位置ずれを規制することができる。
【００７０】
すなわち、第３嵌合部２１は、下部ケース２の複数の突起リブ２３間に中ケース３の複数の突起部２２がそれぞれ挿入して嵌合すると、下部ケース２と中ケース３との各側面部の肉厚方向である内外方向への変形が規制されると共に、下部ケース２と中ケース３との周囲方向への位置ずれが規制されるので、落下など衝撃を受けた際に、下部ケース２と中ケース３とがその各側面部の肉厚方向である内外方向に変形するのを確実に且つ良好に防ぐことができると共に、下部ケース１と中ケース３とがその周囲方向に沿って位置ずれするのを確実に且つ良好に防ぐことができる。
【００７１】
このように、この携帯情報端末機では、第１嵌合部１１と第２嵌合部１２と第３嵌合部２１とによって上部ケース１、下部ケース２、中ケース３を相互に且つ強固に結合することができるので、機器全体の剛性を、より一層、高めることができる。これにより、外部から衝撃を受けた際に、上部ケース１、下部ケース２、中ケース３の全体のねじれ変形を更に確実に防ぐことができると共に、上部ケース１、下部ケース２、および中ケース３の相互の位置ずれによる反り変形を確実に且つ良好に防ぐことができる。
【００７２】
さらに、この携帯情報端末機では、上部ケース１、下部ケース２、および中ケース３の複数個所がねじ部材２５によって相互に締結されていることにより、上部ケース１、下部ケース２、および中ケース３を第１〜第３の各嵌合部１１、１２、２１によって、より強固に結合することができるので、落下などの衝撃を受けた際に、上部ケース１、下部ケース２、および中ケース３の全体のねじれ変形を確実に且つ良好に防ぐことができると共に、上部ケース１、下部ケース２、および中ケース３の相互の位置ずれによる反り変形を確実に且つ良好に防ぐことができる。
【００７３】
この場合、上部ケース１内の側面には、下部ケース２がねじ止めされるねじ止め金具３０が着脱可能に固定されているので、このねじ止め金具３０によって下部ケース２を上部ケース１に対して確実に且つ強固に取り付けることができる。このねじ止め金具３０は、金属板かなり、上部ケース１の内側リブ１５に設けられた取付溝３２に取り付けられ、ねじ止め金具３０の折曲部３０ｂが中ケース３の下側に位置して、この折曲部３０ｃのねじ孔３１が下部ケース２のねじ挿入孔２６に対応することにより、ねじ部材２５によって下部ケース２を上部ケース１に対して確実に且つ良好に締結することができる。
【００７４】
すなわち、このねじ止め金具３０は、金属板を折り曲げ加工した構成であるから、上部ケース１の内側リブ１５に設けられた取付溝３２に取り付けられた際に、上部ケース１の側面と中ケース３の側面との間の僅かな隙間を通り抜けることができ、この通り抜けた下端部の折曲部３０ｂを中ケース３の下側に位置させることができ、この状態で下部ケース２のねじ挿入孔２６を通してねじ部材２５を折曲部３０ｃのねじ孔３１に螺入させることができるので、下部ケース２を上部ケース１に対して確実に且つ強固に締結することができる。
【００７５】
このため、中ケース３の側面を上部ケース１の側面に接近させることができるので、上部ケース１内に配置される中ケース３を最大限に大きく形成することができ、これに伴って中ケース３に組み込まれる入力表示部４を最大限に大きくすることができ、これにより入力表示部４の入力表示面の面積を大きくすることができるので、使い勝手が良いばかりか、外観的にもデザイン的にも好ましいものを提供することができる。
【００７６】
このように、入力表示部４および中ケース３を最大限に大きく形成しても、この入力表示部４の両側に位置する箇所の上部ケース１と下部ケース２とをねじ止め金具３０によって確実に且つ強固に締結することができるので、落下などの衝撃を受けても、その衝撃によって入力表示部４の両側に位置する箇所の上部ケース１と下部ケース２とが変形や位置ずれを起こすのを防ぐことができ、これにより入力表示部４を良好に保護することができる。
【００７７】
なお、上述した実施形態では、携帯情報端末機に適用した場合について述べたが、必ずしも携帯情報端末機である必要はなく、例えば携帯電話機、電子辞書、携帯型の音楽プレーヤなどの各種の携帯型の携帯機器に広く適用することができる。
【符号の説明】
【００７８】
１  上部ケース
２  下部ケース
３  中ケース
４  入力表示部
５  キーボード部
１１  第１嵌合部
１２  第２嵌合部
１３  第１嵌合部の外側リブ
１４  第１嵌合部の溝部
１５  第１嵌合部の内側リブ
１５ａ  内側リブの切欠き溝
１６  環状の溝部の突起部
１７  防水パッキン
１８  第２嵌合部の溝部
１９  第２嵌合部の突起部
２０  中ケースの当接部
２１  第３嵌合部
２２  第３嵌合部の突起部
２３  第３嵌合部の突起リブ
２５  ねじ部材
２６  ねじ挿入孔
２７  ボス装着部
２８  ボス
３０  ねじ止め金具
３１  ねじ孔
３２  上部ケースの取付溝
【図１】
0005686245.tif 000002
【図２】
0005686245.tif 000003
【図３】
0005686245.tif 000004
【図４】
0005686245.tif 000005
【図５】
0005686245.tif 000006
【図６】
0005686245.tif 000007
【図７】
0005686245.tif 000008
【図８】
0005686245.tif 000009
【図９】
0005686245.tif 000010
【図１０】
0005686245.tif 000011
【図１１】
0005686245.tif 000012